(57)【要約】【課題】  ドレントラップでドレン水を排出するのに際して、ドレントラップに形成しているドレントラップ入口とドレントラップ出口が同一直線上に位置していた為に、全体の大きさを含めて配置する位置が限定され排出したドレン水が近くの機器を汚すことがあった。  また、ストレーナによってドレン水に含まれた各種の異物を捕捉していたがストレーナエレメントとストレーナキャップとストレーナボデイの間に異物を保持する構成であった為に、ストレーナエレメントの交換や清掃に際して異物を常に除去する配慮が必要であった。【解決手段】  ドレントラップ入口１１ｘを形成したストレーナ１０とドレントラップ出口２１ｙを形成した電磁弁２０から構成されたドレントラップに於いて、ストレーナ１０を構成している金網１３の内部に異物が保持されるようにした。【選択図】      図３
2006125610.tif 000002
【特許請求の範囲】
【請求項１】
ドレントラップ入口（１１ｘ）を形成したストレーナ（１０）とドレントラップ出口（２１ｙ）を形成した電磁弁（２０）から構成されたドレントラップに於いて、前記ストレーナ（１０）を構成している金網（１３）の内部に異物が保持されることを特徴とするドレントラップ。
【請求項２】
前記金網（１３）は、少なくとも一端が開放されたものであり、その開放された一端を前記ドレントラップ入口（１１ｘ）に対面させることで流入しようとするドレントラップ入口ドレン水（５１）を前記金網（１３）に流入可能にし、他端の側をストレーナキャップ（１２）で固定すると同時に奥当りにすることでそれ以上流れることを不能にし、従って前記金網（１３）を経由して前記ドレントラップ入口ドレン水（５１）が前記ドレントラップ出口（２１ｙ）より排出可能に構成していることを特徴とする請求項１に記載のドレントラップ。
【請求項３】
前記ストレーナ（１０）は前記電磁弁（２０）の側面に一体に位置していることを特徴とする請求項１または請求項２に記載のドレントラップ。
【請求項４】
前記ストレーナ（１０）を構成しているストレーナ本体（１１）に形成された雄ネジ（１１ａ）と前記電磁弁（２０）を構成している電磁弁本体（２１）に形成された入口側雌ネジ（２１ａ）を，螺合によって結合したものであることを特徴とする請求項１ないし請求項３の何れか１項に記載のドレントラップ。
【請求項５】
前記ドレントラップ入口（１１ｘ）と前記ドレントラップ出口（２１ｙ）が９０度の位置関係にあることを特徴とする請求項１ないし請求項４の何れか１項に記載のドレントラップ。
【請求項６】
前記ストレーナ（１０）を形成している前記ドレントラップ入口（１１ｘ）とストレーナ出口（１１ｙ）が９０度の位置関係にあることを特徴とする請求項１ないし請求項５の何れか１項に記載のドレントラップ。
【発明の詳細な説明】
【技術分野】
【０００１】  本発明は、ドレントラップに関する技術であって、更に詳細に述べると、圧縮空気を貯蔵しているエアータンクの下部・・・等、比較的狭い場所に設置しているドレントラップに関して、どの様な構造にしたら作動不良に際して容易に内部の洗浄や金網の交換が出来るか、またどの様にしたら排出するドレン水が周囲の機器を汚さないように出来るかについての具体的な方策について述べたものである。
【背景技術】
【０００２】  従来、ドレントラップに関する技術としては、ドレントラップのストレーナを構成しているストレーナエレメント（本発明の、金網に相当する）の洗浄や交換するのに配慮して、ストレーナを縦向きに位置させることで、ストレーナの配管に関係無く上部に位置している構成部品を外すことでストレーナエレメントの洗浄や交換を容易にしていた（例えば、特許文献１参照。）。【０００３】  以下、従来のドレントラップについて説明する。【０００４】  この場合、電磁弁２０とストレーナ４０より構成されたドレントラップがあり、ストレーナ４０は、流体の入口４９ａと出口４９ｂと入口４９ａに連通しているボデイの流路４９ｃを形成したストレーナボデイ４９と、センターボルトの流路４６ａを形成したセンターボルト４６と、ストレーナエレメント４５より構成され、入口４９ａとストレーナエレメント４５とセンターボルト４６と出口４９ｂとの間にストレーナ４０全体としての流路を形成し、ストレーナボデイ４９を下側に位置させた、即ちストレーナを縦向きにした内容のものであった。
【特許文献１】    特許第３００３０９３号
【発明の開示】
【発明が解決しようとする課題】
【０００５】  しかしながら、このような従来の、ドレントラップに関しては、以下に示すような課題があった。【０００６】  先ず、ドレントラップでドレン水を排出するのに際して、ドレントラップに形成しているドレントラップ入口とドレントラップ出口が同一直線上に位置していた為に、全体の大きさを含めて配置する位置が限定され排出したドレン水が近くの機器を汚すことがあり、排出ホースを設ける等の何等かの配慮を必要とする場合が多かった。【０００７】  また、ストレーナによってドレン水に含まれた各種の異物を捕捉していたがストレーナエレメントとストレーナキャップとストレーナボデイの間に異物を保持する構成であった為に、ストレーナエレメントの交換や清掃に際して異物を常に除去する配慮が必要であった。【０００８】  更に、ドレントラップというものは、エアータンクの下部等比較的狭い場所に設置していることが多く、常に小型であることを要求されていた。
【課題を解決するための手段】
【０００９】  本発明は、ドレントラップ入口１１ｘを形成したストレーナ１０とドレントラップ出口２１ｙを形成した電磁弁２０から構成されたドレントラップに於いて、前記ストレーナ１０を構成している金網１３の内部に異物が保持されることを特徴とし、更には、前記金網１３は、少なくとも一端が開放されたものであり、その開放された一端を前記ドレントラップ入口１１ｘに対面させることで流入しようとするドレントラップ入口ドレン水５１を前記金網１３に流入可能にし、他端の側をストレーナキャップ１２で固定すると同時に奥当りにすることでそれ以上流れることを不能にし、従って前記金網１３を経由して前記ドレントラップ入口ドレン水５１が前記ドレントラップ出口２１ｙより排出可能に構成していることを特徴とし、更には、前記ストレーナ１０は前記電磁弁２０の側面に一体に位置していることを特徴とし、更には、前記ストレーナ１０を構成しているストレーナ本体１１に形成された雄ネジ１１ａと前記電磁弁２０を構成している電磁弁本体２１に形成された入口側雌ネジ２１ａを，螺合によって結合したものであることを特徴とし、更には、前記ドレントラップ入口１１ｘと前記ドレントラップ出口２１ｙが９０度の位置関係にあることを特徴とし、更には、前記ストレーナ１０を形成している前記ドレントラップ入口１１ｘとストレーナ出口１１ｙが９０度の位置関係にあることを特徴とすることによって、上記課題を解決したのである。
【発明の効果】
【００１０】  以上の説明から明らかなように、本発明によって、以下に示すような効果をあげることが出来る。【００１１】  第一に、ドレントラップ入口とドレントラップ出口の位置関係を９０度にすることで、エアータンク等の機器正面（一般的に、作業者が位置している方向）にドレン水を排出させることが可能となり、排出ホース等を配慮したり近くに位置している機器を汚すという不具合は解消された。  また、ドレントラップ入口とドレントラップ出口の位置関係を９０度にすることで、ドレントラップ全体の小型化が可能となった。【００１２】  第二に、ストレーナを構成している金網の内部に異物が保持される様にすることで、ストレーナキャップと共に金網を取り出すだけで、金網の内部に溜まった異物を取り出すことが可能となった。【００１３】  第三に、ストレーナを電磁弁の側面に一体に構成することで、小型のドレントラップが可能となった。
【発明を実施するための最良の形態】
【００１４】  以下、本発明のドレントラップの実施の形態を図面と共に詳細に説明する。
ここで、図１は、本発明であるドレントラップの正面図であり、図２は、本発明であるドレントラップの側面図であり、図３は、本発明の一部であるストレーナの断面図を示している。【００１５】  先ず、図１と図２に見られる様に、５はドレントラップであり、エアーコンプレッサによって作り出された圧縮空気より発生したドレン水に含まれている異物を分離するストレーナ１０と電磁石の働きによってドレン水を通過させ遮断し開閉弁の役目をする電磁弁２０を構成している。【００１６】  ここで、ストレーナ１０が異物を分離する目的は、図１と図２に具体的に示していないが、電磁弁２０には弁座を構成していて、その弁座が異物によって作動不良を起こす可能性が有り、この作動不良を防止する為に設けたものである。【００１７】  この場合、電磁弁２０は、電磁弁本体２１と袋ナット２２を構成し、電磁弁本体２１には、電磁弁入口２１ｘの内側に入口側雌ネジ２１ａがドレントラップ出口２１ｙでもある電磁弁出口２１ｙの内側に出口側雌ネジ２１ｂが形成されている。【００１８】  尚、電磁弁２０に関しては、コンプレッサのスィッチがＯＮの際には閉じた状態を確保してコンプレッサのスイッチがＯＦＦの際にはドレン水を排出する方式でも良いし、コンプレッサ作動に際して適宜ドレン水を排出する方式でも良いし、両者共用する方式のものでも良いし、ドレン水を排出する目的にもので有ればその他の方式によるものでも全く構わない。【００１９】  また、図３に見られる様に、ストレーナ１０は、ストレーナ本体１１とストレーナキャップ１２と金網１３とＯリング１４とガスケット１５より構成されていて、円筒状の金網１３はストレーナ本体１１の内部に収納され、またストレーナキャップ１２によって固定され、更にＯリング１４とガスケット１５によって密閉されている。  即ち、Ｏリング１４は、ストレーナキャップ１２に装着することでストレーナ本体１１との間を密閉し、ガスケット１５は、金網１３とストレーナ本体１１の間に位置させることでその間の漏れを防止しているのである。【００２０】  但し、金網１３の形状について言えば、円筒状に限定する必要は無く、三角柱や四角柱等の多角柱であっても構わないし、また少なくともストレーナ入口１１ｘに対面する一端はドレントラップ入口ドレン水５１が流入するように開放された状態になっている必要がある。【００２１】  更に、金網１３に関して言えば、他の一端は、開放された状態でも閉じた状態（閉じたという意味は、金網を形成したものでも、板で覆ったものでも）でも構わない。  特に、開放された状態の場合には、ストレーナキャップ１２を取り外した際に異物がストレーナ本体１１に付着する可能性が有るのに対し、閉じた状態の場合には、ストレーナキャップ１２を取り外した際に異物が金網１３の内部に完全に保持された状態で取り出すことが出来るという効果が見られるのである。【００２２】  ところで、ストレーナ１０を構成しているストレーナ本体１１は、ドレントラップ入口１１ｘでもあるストレーナ入口１１ｘとストレーナ出口１１ｙを９０度の位置関係で形成している。【００２３】  従って、ストレーナ入口１１ｘよりドレントラップ入口ドレン水５１がストレーナ本体１１に流入��ると、少なくとも一端が開放された金網１３のその開放された一端をストレーナ入口１１ｘに対面させることによって金網１３を固定しているストレーナキャップ１２で行き止まりとなり、９０度向きを変え金網１３を経由してストレーナ出口１１ｙに至る構成となっているのである。【００２４】  この場合、ストレーナ出口１１ｙを通過したドレン水は、ドレントラップ中間ドレン水として示している。  尚、金網１３は、８０メッシュであることが望ましいが、状況によっては３０〜２００メッシュのものでも構わない。【００２５】  そして、金網１３を固定すると同時にストレーナ本体１１を密閉する目的のストレーナキャップ１２はＯリング１４を伴って、ストレーナ本体１１に螺合によって結合していて、その結合や離脱はドライバーによっても構わないが１０円や１００円等の硬貨によって結合や離脱させることも可能である。【００２６】  尚、ストレーナキャップ１２に関しては、金網１３の外径が小さければ小さいほど結合や離脱に際しては小さい力で済むことになり、ストレーナ１０に接続する上流の配管等の径に一致させることが理想的な外径大きさと言うことが言える。【００２７】  ところで、ストレーナ本体１１のストレーナ出口１１ｙ外側には雄ネジ１１ａが形成されていて、この雄ネジ１１ａと電磁弁入口２１ｘ内側の入口側雌ネジ２１ａとを螺合によって結合したものであり、この結合によってストレーナ１０が電磁弁２０の側面に一体で小型に構成する様になっているのである。【００２８】  また、ストレーナ１０と電磁弁２０を一体にする構成する手段に関しては、ストレーナ１０の雄ネジ１１ａと電磁弁２０の入口側雌ネジ２１ａに限定する必要は無く、電磁弁２０とストレーナ１０の間に継手を介して固定することや、その他の方法で構成しても構わない。【００２９】  但し、図３に於いては、ストレーナ本体１１は、ストレーナ入口１１ｘとストレーナ出口１１ｙを９０度の位置関係にあるものを示しているが、ストレーナ入口１１ｘとストレーナ出口（この場合、図３とは異なった場所となる）を１８０度の直線関係の場合も考えられる。  即ち、直線関係にあるストレーナ入口１１ｘとストレーナ出口に対しては金網１３を斜めに（１０〜５０度の角度を持って）位置させてストレーナキャップ１２で固定することで可能となるのである。【００３０】  従って、ここでのドレン水の流れとしては、ストレーナ入口１１ｘに流入した後、直線に対し１０〜５０度傾斜して流れた後、金網１３を固定しているストレーナキャップ１２で行き止まりとなり、金網１３を経由しながら再び直線上に戻りストレーナ出口より排出される様な流れになっているのである。【００３１】  この場合、図３に於いては、ストレーナ１０のストレーナ入口１１ｘとストレーナ出口１１ｙが９０度の位置関係にあることから、図１に見られる様に、電磁弁２０の電磁弁入口２１ｘと電磁弁出口２１ｙが１８０度の位置関係にあることで、ドレントラップ５としてドレントラップ入口１１ｘとドレントラップ出口２１ｙが９０度の位置関係を確保しているのであるが、ストレーナ１０のストレーナ入口１１ｘとストレーナ出口１１ｙが１８０度の位置関係にある場合には、電磁弁２０の電磁弁入口２１ｘと電磁弁出口２１ｙが９０度の位置関係にあることによってドレントラップ５として９０度の位置関係にあるということが言えるのである。【００３２】  尚、ストレーナ１０のドレントラップ入口１１ｘであるストレーナ入口１１ｘと電磁弁２０のドレントラップ出口２１ｙである電磁弁出口２１ｙの位置関係に関しては、９０度に限定する必要は無く、１０〜１７０度でも、より望ましくは３０〜１６０度でも構わない。  但し、直線に近い角度であれば、直線と同じ不具合をもたらす為に、９０度の位置関係に近い方が望ましいとも言える。【００３３】  本発明による、ドレントラップは前述したように構成されており、以下に、その動作について説明する。【００３４】  一般に、エアータンクや、アフタークーラーや、エアークーラーや、各種のエアーフィルター・・・等、圧縮空気よりドレン水を発生する機器の底部に接続して各種の機能を持ったドレントラップ５が設置されているが、これらの機器から発生したドレン水はドレントラップ入口ドレン水５１として、先ずドレントラップ５のストレーナ１０のドレントラップ入口１１ｘであるストレーナ入口１１ｘに流れてくる。【００３５】  この、ストレーナ１０では、図３に見られる様に、ストレーナ本体１１のストレーナ入口１１ｘからドレントラップ入口ドレン水５１を流入させ、ストレーナ本体１１の内部に収納されている金網１３の内側に入り込み金網１３を固定しているストレーナキャップ１２に衝突することで、このドレン水は９０度向きを変えさせられ、その後金網１３を経由してストレーナ本体１１のストレーナ出口１１ｙに到達する。  その際、このドレン水が金網１３を経由する際に金網１３の内部に異物を残すことで金網１３が異物を保持しているのである。【００３６】  そして、次にストレーナ１０を通過したドレントラップ中間ドレン水５２は、更に電磁弁入口２１ｘから電磁弁２０の電磁弁本体２１を通ってドレントラップ出口２１ｙである電磁弁出口２１ｙに到達して、ドレントラップ出口ドレン水５３として排出されるのである。【００３７】  このような構成の中で、ある場合にはエアーコンプレッサのスイッチがＯＮの際には電磁弁２０は閉じた状態を保ちエアーコンプレッサのスイッチがＯＦＦの際にはドレン水を排出している。  但し、タイマーによって一定の時間が計時されると電磁弁２０が作動することによってストレーナ１０を通過したドレン水を排出する方式もある。  また、このドレン水の排出は、タイマーによる計時でなく、ドレン水が一定量溜まったことが確認されることで電磁弁２０が作動する方式もある。【００３８】  一方、ストレーナ１０を構成している金網１３を交換したり洗浄したり内部に滞留している異物を除去する場合には、ストレーナキャップ１２を緩めるとＯリング１４と共に金網１３を容易に取り外すことが可能である。  その場合、ストレーナキャップ１２は、離脱や結合はドライバーによっても構わないが１０円や１００円等の硬貨によっても可能である。【００３９】  この場合、金網１３によって捕捉された異物は金網１３の内部に保持された状態になっているので、ストレーナキャップ１２と共に金網１３を取り外すことで異物も同時に除去することが可能となる構造と���っているのである。【００４０】  従って、金網１３の両端が開放された状態の場合には、ストレーナキャップ１２を取り外した際に異物がストレーナ本体１１の周囲に付着することも有るが、金網１３の一端のみが開放された状態の場合には、ストレーナキャップ１２を取り外した際に異物が金網１３の内部に完全に保持された状態で取り出すことが出来るという為に異物がストレーナ本体１１の周囲に付着しないという効果が見られるのである。
【図面の簡単な説明】
【００４１】
【図１】  本発明であるドレントラップの正面図
【図２】  本発明であるドレントラップの側面図
【図３】  本発明の一部であるストレーナの断面図
【符号の説明】
【００４２】５・・・・・・・ドレントラップ
１０・・・・・・ストレーナ
１１・・・・・・ストレーナ本体
１１ａ・・・・・雄ネジ
１１ｘ・・・・・ストレーナ入口（ドレントラップ入口）
１１ｙ・・・・・ストレーナ出口
１２・・・・・・ストレーナキャップ
１３・・・・・・金網
１４・・・・・・Ｏリング
１５・・・・・・ガスケット
２０・・・・・・電磁弁
２１・・・・・・電磁弁本体
２１ａ・・・・・入口側雌ネジ
２１ｂ・・・・・出口側雌ネジ
２１ｘ・・・・・電磁弁入口
２１ｙ・・・・・電磁弁出口（ドレントラップ出口）
２２・・・・・・袋ナット
５１・・・・・・ドレントラップ入口ドレン水
５２・・・・・・ドレントラップ中間ドレン水
５３・・・・・・ドレントラップ出口ドレン水
【図１】
2006125610.tif 000003
【図２】
2006125610.tif 000004
【図３】
2006125610.tif 000005